(57)【要約】  【課題】  イベント発生によりマルチ画面表示された場合に，表示を残す画面の選択を簡易に行うことができ，また，マルチ画面表示可能な映像信号の種類に制限がある場合にも対応できること。  【解決手段】  マルチ画面表示可能なモニタ画面に，第１の映像画面を表示中に，外部入力端子から映像信号が入力された，或いはオンタイマー機能により予め設定された予約時刻となったというイベントが検出された場合（Ｓ２のＹ，Ｓ３のＹ）に，そのイベントに対応する第２の映像画面と，第１の映像画面とを表示制限に対応しつつ同時にマルチ画面表示させるとともに，少なくとも第１の映像画面と第２の映像画面とのいずれの表示を残すかについての選択メニューを併せて表示させ（Ｓ６），さらに，選択メニューに対する選択入力を行う（Ｓ７）ことにより，その入力に従った映像画面を表示させる（Ｓ８）。【選択図】図３
2006086866.tif 000002
【特許請求の範囲】
【請求項１】
１つの映像画面の表示又は複数の映像画面の同時表示を切り替え可能なマルチ画面表示手段に映像画面を表示させるマルチ画面制御装置であって，
所定のイベントの発生を検出するイベント検出手段と，
前記マルチ画面表示手段に第１の映像画面を表示中に前記イベント検出手段により前記イベントが検出された場合に，該イベントに対応する第２の映像画面と前記第１の映像画面とを同時に前記マルチ画面表示手段に表示させるとともに，少なくとも前記第１の映像画面と前記第２の映像画面とのいずれの表示を残すかの選択肢を有する選択メニューを前記マルチ画面表示手段に併せて表示させるイベント発生時画面制御手段と，
前記選択メニューに対応する選択入力を行う選択入力手段と，
前記選択入力手段による入力に従った映像画面を前記マルチ画面表示手段に表示させる選択入力時画面制御手段と，
を具備してなることを特徴とするマルチ画面制御装置。
【請求項２】
前記選択メニューが，前記第１の映像画面と前記第２の映像画面とのいずれの表示を残すかの選択肢及び両方の表示を残す選択肢を有してなる請求項１に記載のマルチ画面制御装置。
【請求項３】
前記イベント発生時画面制御手段が，前記第１の映像画面及び前記第２の映像画面をその各々の識別情報を付加して表示させるとともに，前記識別情報を用いた前記選択メニューを表示してなる請求項１又は２に記載のマルチ画面制御装置。
【請求項４】
前記選択入力手段による選択入力の履歴情報を記憶する入力履歴情報記憶手段と，
前記選択入力の履歴情報に基づいて前記選択メニューを編成する選択メニュー編成手段と，を具備してなる請求項１〜３のいずれかに記載のマルチ画面制御装置。
【請求項５】
前記選択メニューの内容を操作入力に従って予め設定する選択メニュー設定手段を具備してなる請求項１〜３のいずれかに記載のマルチ画面制御装置。
【請求項６】
前記マルチ画面表示手段が，
表示可能な映像の種類に制限のない第１の表示エリアと表示可能な映像の種類に制限のある第２の表示エリアとの各々に映像画面を表示可能であり，
前記イベント発生時制御手段が，
前記第１の映像画面と前記第２の映像画面の各々が前記第２の表示エリアに表示可能なものであるか否かに基づいて，前記第１の映像画面及び前記第２の映像画面をいずれの表示エリアに表示させるか又は前記第２の映像画面を表示させないかを切り替えてなる請求項１〜５のいずれかに記載のマルチ画面制御装置。
【請求項７】
前記選択入力手段により前記選択メニューにおいて前記第１の映像画面又は前記第２の映像画面の一方の表示を残す選択がなされた場合に，他方の映像画面を録画手段に録画させる録画制御手段を具備してなる請求項１〜６のいずれかに記載のマルチ画面制御装置。
【請求項８】
複数の映像画面を同時に表示可能なマルチ画面表示手段と，該マルチ画面表示手段に映像画面を表示させる請求項１〜７のいずれかに記載のマルチ画面制御装置と，を具備してなることを特徴とする表示装置。
【発明の詳細な説明】
【技術分野】
【０００１】
本発明は，テレビジョン受像機等の表示装置に複数の画面を表示させる制御を行うマルチ画面制御装置及びそれを具備する表示装置に関するものである。
【背景技術】
【０００２】
テレビジョン受像機は，通常，ＮＴＳＣ（ National Television System Committee ）方式の映像の地上放送を受信するチューナと１又は複数の外部入力端子とを備え，チューナにより選択（抽出）された放送チャンネルの映像画面と外部入力端子から入力された映像画面とのいずれの画面を表示させるかを切り替える機能を備えている。
近年，前記ＮＴＳＣ方式の映像のアスペクト比（４：３）よりも横長のアスペクト比（１６：９）を有するＨＤＴＶ（High Definition TV）方式（いわゆるハイビジョン方式）の映像を表示可能なワイド画面を備えたテレビジョン受像機（ワイドテレビと呼ばれる）が普及している。
このようなワイドテレビは，地上放送を受信する前記チューナの他，衛星放送受信チューナ（ＢＳチューナ），ＥＤＴＶ２放送受信チューナ，文字放送デコーダ，ＭＵＳＥ−ＮＴＳＣコンバータ，並びにＣＡＴＶチューナ等のうちの一部又は全てを内蔵するものもある。
さらに，ワイドテレビには，１又は複数のチューナからの映像信号及び前記外部入力端子を介して入力される映像信号のうちの複数の映像信号を画面上に同時に表示させるマルチ画面表示機能を有するものがある。
例えば，２つの映像信号（映像ソース）をワイド画面上に同時に並べて表示する２画面表示機能では，ワイド画面を親（メイン）画面と子（サブ）画面との左右の２領域に分割し，２つの映像信号の一方を前記親画面（例えば，左側）に，他方を前記子画面（例えば，右側）に各々ほぼ同一の大きさで表示させることが可能となる。
ここで，映像画面に表示中に，外部入力信号が入力されたことや，オンタイマー機能における予約時刻になったこと等のイベントが発生した場合，そのイベントに対応する新たな映像信号（外部入力信号や予約番組の映像信号）を，表示中の映像を画面上から消去することなく追加的に画面表示させたいというニーズがある。
従来，特許文献１には，オンタイマー機能を有するテレビジョン受像機において，オンタイマーの予約時刻になると子画面に予約番組の映像を表示するものが示されている。
また，特許文献２には，２つの入力系統からの映像信号各々について同期信号の有無を検出し，両方の同期信号が検出されたときにそれらを２画面表示する表示装置が示されている。
さらに，特許文献３には，映像信号に重畳された情報信号を取り出してその情報信号に基づくキャラクタを発生させ，映像信号とキャラクタとをマルチ画面で別々に表示する複数画面出力モニタシステムが示されている。
さらに，特許文献４には，電源投入時に，電源を落とす直前に選択されていた映像の画面を親画面に，その電源投入時の時間帯に対して予め選択されていた映像の画面を子画面に表示させる多画面テレビジョン受像機が示されている。
【特許文献１】特開平１０−３２２６１８号公報
【特許文献２】特開２００１−３４６１２１号公報
【特許文献３】特開平９−６５２３３号公報
【特許文献４】特開平８−３３１４７１号公報
【発明の開示】
【発明が解決しようとする課題】
【０００３】
ところで，利用者は，外部入力信号が入力されたことや，オンタイマー機能における予約時刻になったこと等のイベントの発生によって複数の映像がマルチ画面表示された場合に，必ずしもマルチ画面表示のまま鑑賞を続けたいわけでなく，いずれの映像の表示を残すかを選択したい場合が多い。
しかしながら，特許文献１〜４には，２つの映像が２画面表示された場合に，いずれの映像の表示を残すかをどのようにして選択するかについては示されていない。
また，例えば，２画面表示の一方を主画面，他方を子画面等と予め画面ごとに名称を付け，その名称に基づいてリモコン装置やテレビジョン受像機の操作部に対して選択操作を行わせる場合，利用者は事前に取扱説明書を読むなどして各画面の名称を把握しておく必要があり，取り扱いが繁雑であるという問題点があった。
さらに，マルチ画面表示機能を備えた表示装置には，ハードウェアの構成上，複数の表示エリアの一部（例えば，２画面表示における子画面の表示エリア）において，表示可能な映像信号の種類に制限があるものがあるが，従来はこのような制限下におけるマルチ画面表示について考慮されていないという問題点もあった。例えば，特許文献１〜４には，子画面に表示させようとした映像信号がその子画面に表示できない信号である場合にどのように処理するかについて示されていない。
従って，本発明は上記事情に鑑みてなされたものであり，その目的とするところは，イベント発生によりマルチ画面表示された場合に，表示を残す画面の選択を簡易に行うことができ，また，マルチ画面表示可能な映像信号の種類に制限がある場合にも対応できるマルチ画面制御装置及びそれを具備する表示装置を提供することにある。
【課題を解決するための手段】
【０００４】
上記目的を達成するために本発明は，１つの映像画面の表示又は複数の映像画面の同時表示を切り替え可能なマルチ画面表示手段或いはそれに映像画面を表示させるマルチ画面制御装置に適用されるものであり，所定のイベントの発生を検出する機能を備え，前記マルチ画面表示手段にある映像画面（以下，第１の映像画面という）を表示中に前記イベントが検出された場合に，そのイベントに対応する映像画面（以下，第２の映像画面という）と，その時に表示中の映像画面とを同時に前記マルチ画面表示手段に表示させるとともに，少なくとも前記第１の映像画面と前記第２の映像画面とのいずれの表示を残すかについての選択肢を有する選択メニューを前記マルチ画面表示手段に併せて表示させ，さらに，前記選択メニューに対応する選択入力を行うことにより，その入力に従った映像画面を前記マルチ画面表示手段に表示させるものである。
ここで，前記イベント及びこれに対応する映像信号としては，例えば，外部入力インターフェース（外部入力端子等）から映像信号が入力されたというイベント及びその外部入力映像信号，現在時刻がオンタイマー機能により予め設定された予約時刻となったというイベント及びそのオンタイマー機能により予約された映像信号（放送チャンネルの映像信号や外部入力映像信号など）等が考えられる。
これにより，利用者は，イベント発生によりマルチ画面表示された場合に，画面表示された前記選択メニューに従って選択操作を行えばよいので，事前に取扱説明書を読むなどして各画面の名称を把握しておく等の煩わしい手間を必要とせず，表示を残す画面の選択を簡易に行うことが可能となる。
【０００５】
また，前記選択メニューとしては，元々表示中であった映像画面（第１の映像画面）と前記イベントに対応する映像画面（第２の映像画面）とのうちのいずれか一方の表示を残す選択肢に加え，さらに，両方の表示を残す（マルチ画面のままにしておく）選択肢も含むものであれば，なお自由度が高く好適である。
また，前記第１の映像画面及び前記第２の映像画面をその各々の識別情報を付加して表示させるとともに，前記識別情報を用いた前記選択メニューを表示すれば，前記選択メニューにおける選択肢と各画面との対応関係を一見して把握できるのでわかりやすい。
また，前記選択メニューにおける選択入力の履歴情報を記憶し，その履歴情報に基づいて前記選択メニューを編成すれば，例えば，前記選択メニューを表示させる際に，選択カーソルを最近の所定期間において選択頻度の最も高い選択肢に初期設定して表示させること等が可能となる。これにより，利用者各々の習慣に柔軟に対応した前記選択メニューを構成することが可能となり，より利便性が高まる。
また，前記選択メニューの内容，例えば，前記識別情報の内容や，前記第１の画面及び前記第２の画面の両方の表示を残す選択肢を含めるか否か等について，操作入力に従って予め設定する機能を設ければ，前記選択メニューを利用者の好みに応じてカスタマイズできるので，前記選択メニューをより利用者が扱い易いものとすることができる。
【０００６】
また，前記マルチ画面表示手段が，表示可能な映像の種類に制限のない第１の表示エリアと表示可能な映像の種類に制限のある第２の表示エリアとの各々に映像画面を表示可能なものである場合に，前記イベントの発生が検出された際に，前記第１の映像画面と前記第２の映像画面の各々が前記第２の表示エリアに表示可能なものであるか否かに基づいて，前記第１の映像画面及び前記第２の映像画面をいずれの表示エリアに表示させるか又は前記第２の映像画面を表示させないかを切り替えることが考えられる。
これにより，例えば，前記第２の映像画面を前記第２の表示エリアに表示可能な場合には，前記第１の映像画面を前記第１の表示エリアに表示するとともに，前記第２の映像画面を前記第２の表示エリアに表示するようにし，それ以外で前記第１の映像画面を前記第２の表示エリアに表示可能な場合には，前記第１の映像画面を前記第２の表示エリアに表示するとともに，前記第１の映像画面を前記第１の表示エリアに表示するようにし，その他の場合には，前記第２の映像画面を表示させず，前記第１の映像画面から前記第２の映像画面に表示を切り替えるか否かの選択メニューを表示させるようにするといったことが可能となる。
これにより，マルチ画面表示可能な映像信号の種類に制限がある場合にも対応できる。
また，前記選択メニューに対する選択入力により，前記第１の映像画面又は前記第２の映像画面の一方の表示を残す選択がなされた場合に，他方の映像画面を録画手段に録画させる制御を行うものであれば，その時点で視聴しない側の映像画面を後から再生して視聴できるので好適である。
【発明の効果】
【０００７】
本発明によれば，イベント発生によりマルチ画面表示された場合に，選択メニューの表示に従って表示を残す画面の選択を簡易に行うことができ，利用者の利便性が高まる。
また，表示可能な映像の種類に制限がある表示エリアを有するマルチ画面表示手段を採用する場合に，イベントの発生が検出された際に，元々表示中の映像画面（第１の映像画面）とイベントに対応する映像画面（第２の映像画面）の各々が，前述の制限がある表示エリアに表示可能なものであるか否かに基づいて，各映像画面をいずれの表示エリアに表示させるか又はイベントに対応する映像画面を表示させないかを切り替えるものであれば，マルチ画面表示可能な映像信号の種類に制限がある場合にも対応できる。
【発明を実施するための最良の形態】
【０００８】
以下添付図面を参照しながら，本発明の実施の形態について説明し，本発明の理解に供する。尚，以下の実施の形態は，本発明を具体化した一例であって，本発明の技術的範囲を限定する性格のものではない。
ここに，図１は本発明の実施形態に係る表示装置Ｘの概略構成を表すブロック図，図２は表示装置Ｘのマルチ画面表示を模式的に表した図，図３は表示装置Ｘにおけるイベント対応マルチ画面表示処理の手順を表すフローチャートである。
【０００９】
まず，図１に示すブロック図を用いて，本発明の実施形態に係る表示装置Ｘの構成について説明する。
表示装置Ｘは，複数の映像画面を同時に表示可能なマルチ画面表示機能を備えたテレビジョン受像機である。
図１に示すように，表示装置Ｘは，複数のチューナ１ａ，１ｂと，外部入力部２と，映像切替回路３と，複数の映像処理回路４ａ，４ｂと，画面合成切替回路５と，信号検出回路６と，計時回路７と，制御回路８と，リモコンインターフェース（Ｉ／Ｆ）回路９と，モニタ画面２１と，音声切替回路１０と，音声処理回路１１と，アンプ２２と，スピーカ２３とを具備している。
前記チューナ１ａ，１ｂは，放送受信アンテナ２０で受信されたテレビジョン放送（地上放送等）の信号（以下，放送信号という）を入力し，前記制御回路８から指示された放送チャンネルの信号を入力信号から抽出（選局）するとともに，その抽出信号の検波によって映像信号及び音声信号を取り出し，その映像信号及び音声信号の各々を前記映像切替回路３及び前記音声切替回路１０各々へ伝送するものである。
また，前記外部入力部２は，外部からコンポジット方式の映像信号及び音声信号や，セパレート方式の映像信号及び音声信号（いわゆるＳ端子の信号）等の外部入力映像信号及び外部入力音声信号を入力し，それらを前記映像切替回路３及び前記音声切替回路１０各々へ伝送するインターフェースである。
前記映像切替回路３は，前記チューナ１ａ，１ｂ各々からの映像信号及び前記外部入力部２からの映像信号を入力し，それらの映像信号のうちの任意の２つの映像信号を前記制御回路８からの指示に従って出力するものである。
【００１０】
前記映像処理回路４ａ，４ｂ各々は，前記映像切替回路３から出力された映像信号各々に対して各種信号処理を行うものである。例えば，映像信号のＡ／Ｄ変換や，Ａ／Ｄ変換後の映像信号からの水平及び垂直同期信号の分離，その同期信号に位相同期したクロック信号の生成，Ａ／Ｄ変換後の映像信号からの輝度信号及び色信号の分離，所定の画質改善処理，前記画質改善処理後の映像を縮小する（時間軸を圧縮する）処理，及びその縮小映像信号を前記クロック信号に基づいて水平走査期間の前半（画面左半分）や後半（画面右半分）に配置する位相調整処理等を行い，処理後の映像信号を前記画面合成切替回路５に出力する。
前記画面合成切替回路５は，前記映像処理回路４ａ，４ｂ各々からの映像信号のいずれかを切り替えて前記モニタ画面２１に出力することにより，前記モニタ画面２１に１つの映像画面を表示させるか，２つの映像画面を左右に並べて同時表示（画面合成）させるかを切り替えるものである。
例えば，一方の前記映像処理回路４ａから水平走査期間の前半に位相調整された前記縮小映像信号が入力され，他方の前記映像処理回路４ｂから水平走査期間の後半に位相調整された前記縮小映像信号が入力されている場合，それらを前記映像処理回路４ａ，４ｂから得られる前記クロック信号に基づいて順次切り替え出力することにより，前記モニタ画面２１の左半分と右半分との各々に，前記映像切替回路３により出力される２つの映像信号を並べて同時表示させる。
また，前記映像処理回路４ａ，４ｂ各々から前記縮小処理を行わない映像信号が入力されている場合，それらの一方を出力することにより，前記モニタ画面２１のほぼ全体のエリアに，前記映像切替回路３により出力される２つの映像信号のうちの一方のみを表示させる。
さらに，前記画面合成切替回路５は，前記制御回路８から入力される挿入情報を，出力する映像信号にスーパーインポーズする機能も備えている。
【００１１】
前記モニタ画面２１は，例えば，いわゆるワイド画面を形成する液晶パネル及びその周辺機器等からなる表示手段であり，前記画面合成切替回路５から出力される映像信号を表示するものである。なお，前記モニタ画面２１が，１つの映像画面の表示又は複数の映像画面の同時表示を切り替え可能なマルチ画面表示手段の一例である。
ここで，前記モニタ画面２１の右半分（第１の表示エリアの一例）に映像信号を表示させる前記映像処理回路４ａ（図中，映像処理回路Ａと表す）は，処理する映像信号の種類（即ち，表示可能な映像の種類）に制限はないが，前記モニタ画面２１の右半分（第２の表示エリアの一例）に映像信号を表示させる前記映像処理回路４ｂ（図中，映像処理回路Ｂと表す）は，処理する映像信号の種類（即ち，表示可能な映像の種類）に制限がある。これにより，装置構成の簡易化（低コスト化）が図られている。
例えば，前記映像処理回路４ｂは，４８０Ｉのインターレス信号（Ｃｏｍｐｏｎｅｎｔ１５ｋ信号ともいう，通常のアナログＴＶ信号相当）は処理できるが，７２０Ｐのプログレッシブ信号（映像信号の一例）や４８０Ｐのプログレッシブ信号（或いはＣｏｍｐｏｎｅｎｔ４５ｋ信号や同３１ｋ信号ともいう）等を処理することができない。前記映像処理回路４ａ，４ｂ各々は，前記映像処理回路４ｂが処理できない映像信号が入力された場合には，その旨の信号（以下，処理不能信号という）を前記制御回路８に出力する。ここで，映像信号が，前記映像処理回路４ｂにより処理できない信号であるか否かは，例えば，７２０Ｐ或いは４８０Ｐのプログレッシブ信号の場合，V-sync期間中（例えば，V-sync信号の立ち上がりから次の立ち上がりまでの間）に発生するH-syncの本数（H-sync信号の発生数）が予め定められた本数（或いは，その本数に対する許容範囲内）であるか否かを検出すること等により検出できる。
【００１２】
前記信号検出回路６は，前記外部入力部２に映像信号が入力されたというイベントを検出するものである（イベント検出手段の一例）。
例えば，前記外部入力部２を構成する入力端子にコネクタが接続されたか否かを検出するスイッチを設け，そのスイッチの検出状態（ＯＮ／ＯＦＦ）に基づいて映像信号が入力されたか否かを検出する回路や，或いは前記外部入力部２から前記信号映像切替回路３までの信号経路上において，映像信号の同期信号の有無を検出することによって映像信号が入力されたか否かを検出する回路等により構成される。
前記計時回路７は，クロック発振器を備え，現在時刻を計時する回路である。
前記制御回路８は，演算手段であるＭＰＵ８ａ，そのＭＰＵ８ａによって実行される制御プログラムが予め格納される記憶手段であるＲＯＭ８ｂ（ＥＰＲＯＭ），前記ＭＰＵ８ａが実行する処理によって書き込まれる設定情報を記憶するＥＥＰＲＯＭ８ｃ等を備え，当該表示装置Ｘ全体を制御するものである。
前記リモコンインターフェース回路９は，当該表示装置Ｘの操作用のリモコンから，赤外線伝送等の無線伝送によって前記リモコンに対する操作入力の情報を取得し，その操作入力情報を前記制御回路８に出力するものである。
前記音声切替回路１０は，前記チューナ１ａ，１ｂ各々からの音声信号及び前記外部入力部２からの音声信号を入力し，それらの音声信号のうちの任意の１つの音声信号を前記制御回路８からの指示に従って出力するものである。
前記音声処理回路１１は，前記制御回路８からの指示に従って，前記音声切替回路１０から出力された音声信号に対して各種信号処理を行うものである。例えば，前記スピーカ２３の特性に合わせたイコライズ処理や，サラウンド処理等を行う。
前記アンプ２２は，前記音声処理回路１１による処理後の音声信号を，前記制御回路８からの指示に従って増幅或いは減衰させる処理を行い，前記アンプ２２に出力するものである。
なお，表示装置Ｘのうち，前記モニタ画面２１及び音声関係の構成要素１０，１１，２２，２３を除く残りの構成が，前記モニタ画面２１（マルチ画面表示手段）に映像画面を表示させるマルチ画面制御装置として機能する部分である。
【００１３】
以下，前記制御回路８の機能について説明する。
前記制御回路８は，前記リモコン及び前記リモコンインターフェース回路９を通じて入力される操作入力情報（チャンネル選択キーの操作入力や，音声ボリュームのアップキー若しくはダウンキーの操作入力に対応する情報等）に従って，前記チューナ１ａ，１ｂに対して選局するチャンネルを指定したり，前記アンプ２２に対して出力音量の調節指令を出力したりする等，通常のテレビジョン受像機が備える機能を実現するための制御機能を有する。
さらに，前記制御回路８は，前記映像処理回路４ａ，４ｂ各々に対し，映像信号の縮小を行うか否か，及び縮小を行う場合に水平走査期間の前半と後半のいずに配置（位相調整）するか等についての制御信号を出力し，前記画面合成切替回路５に対し，前記映像処理回路４ａ，４ｂ各々からの映像信号のいずれか一方を前記モニタ画面２１に表示させるか，又はそれらを順次切替出力して前記モニタ画面２１にマルチ画面（２画面）表示させるかの制御信号を出力する。
また，前記チューナ１ａ，１ｂ各々に対しては，いずれの放送チャンネルを抽出（選局）させるかの制御信号を出力し，前記映像切替回路３に対しては，前記チューナ１ａ，１ｂ及び前記外部入力部２の各々から入力される映像信号の中からいずれの２つの映像信号を選択して前記映像処理回路４ａ，４ｂ各々に出力させるかの切替信号を出力する。
さらに，前記制御回路８は，いわゆるオンタイマー機能を実現する。即ち，不図示のリモコン及び前記リモコンインターフェース回路９を通じて入力される操作入力に従って，予約時刻とその予約時刻に前記モニタ画面２１に表示させる映像信号の種類（放送チャンネルのいずれか又は外部入力）である設定チャンネルとを前記ＥＥＰＲＯＭ８ｃに記憶させる処理と，前記計時回路７により計時される現在時刻を監視し，現在時刻が前記予約時刻となった際に，前記設定チャンネルに対応する映像信号を前記モニタ画面２１に表示させる処理とを実行する。
ここで，前記制御回路８及び前記計時回路７が，現在時刻が前記予約時刻になったというイベントを検出するイベント検出手段の一例である。
【００１４】
また，前記制御回路８は，前記モニタ画面２１に映像画面を表示中にイベントの発生が検出された場合に，そのイベントに対応する映像画面を表示中の映像画面と同時にマルチ画面表示させるイベント対応マルチ画面表示機能を実現するための制御を行う。
以下，図３に示すフローチャート及び図２に示すマルチ画面表示の模式図を用いて，前記制御回路８が所定の制御プログラムを実行することにより実現されるイベント対応マルチ画面表示処理の手順について説明する。なお，以下に示すＳ１，Ｓ２，…は，処理手順（ステップ）の識別記号を表すものとする。
まず，前記制御回路８の制御により，前記モニタ画面２１に対し，前記リモコン（不図示）及び前記リモコンインターフェース回路９を通じた操作入力により指定されたチャンネル（前記外部入力部２からの入力を含む）の映像信号の画面（映像画面）が，前記映像処理回路４ａを通じて前記モニタ画面２１に表示中（シングル画面表示）であるとする（Ｓ１）。図２（ａ）は，前記第１の映像画面ｇ１を前記モニタ画面２１に表示させている状態を模式的に表したものである。
その状態で，前記制御回路８により，前記信号検出回路６により外部入力信号（映像信号）が入力されたか否かの監視（Ｓ２），及び前記計時回路７により計時される現在時刻が前記オンタイマー機能における前記予約時刻を経過した否かの監視（Ｓ３），即ち，イベント発生の監視が行われる。
そして，前記信号検出回路６又は前記計時回路７（イベント検出手段の一例）により，いずれかのイベントの発生が検出されると，前記制御回路８により，前記映像切替回路３が制御され，検出されたイベントに対応する映像画面の信号を前記映像処理回路Ｂに入力させるとともに，前記映像処理回路４ａ，４ｂ各々からの前記処理不能信号の入力状態に基づいて，現在表示中の映像画面（以下，第１の映像画面という）と，検出されたイベントに対応する映像画面（以下，第２の映像画面という）との２画面表示可能か否かが判別される（Ｓ４）。
ここで，２画面表示可能か否かの判別は，例えば，以下のように行われる。
まず，前記第２の映像画面が，前記モニタ画面２１の右半分（第２のエリア）に表示可能なものである場合は，２画面表示可能なパターンの１つとして「通常パターン表示可」と判別される。ここで，通常パターンとは，前記第１の映像画面を前記モニタ画面２１の左半分のエリアに，前記第２の映像画面を右半分のエリアに表示するパターンをいうものとする。
また，前記第２の映像画面が，前記モニタ画面２１の右半分（第２のエリア）に表示不能なものであり，かつ，前記第１の映像画面が，前記モニタ画面２１の右半分（第２のエリア）に表示可能なものである場合は，２画面表示可能なパターンの１つとして「逆パターン表示可」と判別される。ここで，逆パターンとは，前記第２の映像画面を前記モニタ画面２１の左半分のエリアに，前記第１の映像画面を右半分のエリアに表示するパターンをいうものとする。
そして，その他の場合は，「２画面表示不可」と判別される。
【００１５】
そして，２画面表示可能（「通常パターン表示可」又は「逆パターン表示可」）と判別された場合，前記制御回路８により，後述する選択入力の履歴情報に基づいて，前記モニタ画面２１の画面上に，前記第１の映像画面と前記第２の映像画面とのいずれか一方又は両方の表示を残すかについての選択メニューの編成，即ち，選択メニューデータの生成がなされる（Ｓ５，選択メニュー編成手段の一例）。
さらに，前記第１の映像画面と前記第２の映像画面とを前記モニタ画面２１に対して２画面表示（マルチ画面表示）がなされるとともに，その画面上に前記選択メニューが併せて（スーパーインポーズにより）表示される（Ｓ６，イベント発生時画面制御手段の一例）。図２（ｂ）は，縮小された前記第１の映像画面ｇ１’と前記第２の映像画面ｇ２と前記選択メニューｇ３とを同時表示した画面を模式的に表したものである。
ここで，前記モニタ画面２１に対する２画面表示は，ステップＳ４で判別されたパターン（「通常パターン」又は「逆パターン」）に従ってなされる。このとき，「通常パターン」及び「逆パターン」のいずれにおいても，前記制御回路８により，前記スピーカ２３に対して前記第１の映像画面に対応する音声信号が出力されるよう前記音声切替回路１０が制御される。
また，前記モニタ画面２１には，図２（ｂ）に示すように，前記制御回路８（イベント発生時画面制御手段の一例）により，前記第１の映像画面及び前記第２の映像画面が，その各々の識別情報（図中の「Ａ」，「Ｂ」）が付加されて表示されるとともに，その識別情報を用いた前記選択メニューｇ３が表示される。これにより，前記選択メニューｇ３における選択肢と各画面との対応関係を一見して把握できるのでわかりやすい。
ここで，前記識別情報を，「Ａ」と「Ｂ」等の単なる符号の他，前記第１映像画面と前記第２の映像画面との各々に対して，「元の画面」と「新規画面」や，各画面に表示される映像信号の入力元（「ライン入力１」や「Ｌ１」，「ＶＨＳ放送ｃｈ２」や「Ｖ２」，…）等の各映像信号の意味内容を表す情報等とすることも考えられる。
【００１６】
本実施形態では，前記選択入力の履歴情報は，予め定められた最近の所定期間において前記選択メニューｇ３に対してなされた選択入力の履歴情報であり，後述するステップ１０において，前記制御回路８によって前記ＥＥＰＲＯＭ８ｃに記録される情報である。
さらに，ステップＳ５では，例えば，図２（ｂ）に示すように，選択カーソルｇ３１を最近の所定期間において選択頻度の最も高い選択肢に初期設定した前記選択メニューｇ３が編成される。その他，前記選択メニューｇ３における選択肢を，選択頻度の高い順に配置させること等も考えられる。
これにより，利用者個々の習慣に柔軟に対応した前記選択メニューｇ３を構成することが可能である。
続けて，前記制御回路８により，前記リモコン及び前記リモコンインターフェース回路９を通じて，前記選択メニューｇ３に対応する選択入力が行なわれ（Ｓ７，選択入力手段の一例），その選択入力に従った映像画面が前記モニタ画面２１（マルチ画面表示手段）に表示される（Ｓ８，選択入力時画面制御手段の一例）。図２（ｂ）に示す例では，前記制御回路８により，前記リモコン（不図示）に設けられた矢印キー等が操作されるごとに選択カーソルｇ３１が選択肢各々に順次移動され，前記リモコンに設けられた決定キー等が操作されることにより，その時点で選択カーソルｇ３１が設定されている選択肢が選択されたものとして処理される。
さらに，前記制御回路８により，ステップＳ７（選択入力手段の処理の一例）において前記選択メニューｇ３に対してなされた選択入力の履歴情報が前記ＥＥＰＲＯＭ８ｃ（入力履歴情報記憶手段の一例）に記録され（Ｓ９），その後，前述したステップＳ１へ移行して処理が繰り返される。
【００１７】
一方，ステップＳ４において，「２画面表示不可」と判別された場合，前記制御回路８により，前記第２の映像画面ｇ２を表示させずに，前記第１の映像画面ｇ１と併せて，前記第２の映像画面に切り替えるか否かを問い合わせる問合せメッセージｇ４が前記モニタ画面２１に同時表示（スーパーインポーズ）される（Ｓ１０）。図２（ｃ）は，前記第１の映像ｇ１と前記問合せメッセージｇ４とを併せて表示させた画面を模式的に表したものである。
続けて，前記制御回路８により，前記リモコン及び前記リモコンインターフェース回路９を通じて，前記問合せメッセージｇ４に対応する選択入力が行なわれ（Ｓ１１），表示切り替えを実行する旨の入力が行われた場合（Ｓ１２のＹ）は前記第２の映像画面が前記モニタ画面２１に表示（Ｓ１３）された後，また，表示切り替えを実行しない旨の入力が行われた場合は前記第１の映像画面を前記モニタ画面２１に表示させたままの状態で，前述したステップＳ１へ移行して処理が繰り返される。図２（ｃ）に示す例では，前記問合せメッセージｇ４に対し，前記リモコン（不図示）に設けられた決定キー等が操作された場合に画面切り替えを行うことを指示されたものとし，キャンセルキー等が操作された場合に画面切り替えを行わない（前記第１の映像画面の表示を継続する）ことを指示されたものとして処理される。
このように，前記制御回路８（イベント発生時制御手段の一例）により，前記第１の映像画面と前記第２の映像画面の各々が，前記モニタ画面２１の右半分のエリア（第２の表示エリアの一例）に表示可能なものであるか否かに基づいて，前記第１の映像画面及び前記第２の映像画面を左右いずれの表示エリアに表示させるか（Ｓ５〜Ｓ６）），或いは前記第２の映像画面を表示させないか（Ｓ１０）が切り替えられる。
これにより，本実施形態のように，マルチ画面表示可能な映像信号の種類に制限がある場合にも対応できる。
【００１８】
以上示した実施形態では，前記選択メニューｇ３（図２参照）として，前記第１の映像画面（元々表示中の映像画面）と前記第２の映像画面（イベントに対応する映像画面）との一方又は両方の表示を残すかについてのメニューを構成するものであったが，これに限るものでなく，前記第１の映像画面と前記第２の映像画面のいずれの表示を残すかについての選択メニューとしてもよい。
また，前記制御回路８により，前記選択メニューｇ３の内容が，前記リモコン及び前記リモコンインターフェース回路９を通じた操作入力に従って予め設定可能に構成されたものも考えられる（選択メニュー設定手段の一例）。
例えば，前記第１の映像画面と前記第２の映像画面の両方の表示を残す選択肢は設けない設定や，複数の選択肢のいずれに初期カーソルを設定するかの設定，或いは前記選択メニューｇ３の表示後一定時間経過後に所望の選択肢を自動選択させる設定等を可能とし，その設定情報を前記ＥＥＰＲＯＭ８ｃに記憶させるとともに，前記選択メニューｇ３の編成（図３のＳ５）の際に，その設定情報に従って前記選択メニューｇ３を編成する構成が考えられる。
【００１９】
また，前記実施形態では，テレビジョン受像機（表示装置）への適用例について示したが，これに限らず，例えば，前記表示装置Ｘにおける音声関係の構成要素１０，１１，２２，２３を除く構成のうち，前記モニタ画面２１を，モニタ画面への映像信号出力インターフェースに置き換えた構成（マルチ画面制御装置の一例）を，録画装置（ビデオデッキやＤＶＤ装置等）やＢＳチューナやＣＡＴＶチューナ等のチューナに設けた実施形態等も考えられる。
また，前記実施形態では，１画面表示と左右２画面表示とを切り替える例について示したが，例えば，１画面表示と，その一部にウィンドウ画面を同時表示させる２画面表示とを切り替えるものや，複数のイベントに対応する複数の映像画面（第２の映像画面の一例）を同時表示させる３画面表示以上のマルチ画面表示を行うもの等も考えられる。
【００２０】
また，前記イベント及びこれに対応する映像信号としては，前述したものの他，現在時刻が録画装置（ビデオデッキ等）における予約録画の予約時刻となったというイベント及びその録画装置により録画が予約された映像信号（放送チャンネルの映像信号や外部入力映像信号など），予め設定された裏番組の放送チャネルの映像信号が，コマーシャル放送の信号から番組放送（コマーシャル以外）の信号に切り替わったというイベント及びその裏番組の放送チャンネルの映像信号等が考えられる。
ここで，コマーシャル放送であるか否かの判別は，例えば，放送チャンネル信号に重畳されている音声信号が音声多重信号であるか否かにより判別すること（音声多重信号であるときにＣＭ放送であると判別する）や，裏番組として映画の放送番組が設定されている場合に，映像信号がいわゆるレターボックスタイプの映像信号（映像画面の上下に帯状の黒い部分がある映像信号）であるか否かにより判別すること（レターボックスタイプであれば映画の映像（ＣＭでない）と判別する）等が考えられる。この場合，映画の放送番組であるか否かは，放送信号に重畳されるＥＰＧ（電子番組ガイド）の信号の内容により自動判別することや，利用者の操作入力に従って設定すること等が考えられる。
【００２１】
また，表示装置Ｘが，映像信号に基づく画像を録画する録画回路（録画手段）を備える場合，或いは外部接続された録画装置（録画手段）に対して録画指令を出力する構成を備える場合には，前記制御回路８により，前記第１又は第２の映像画面のうち，視聴を続けない側の映像画面を録画させるよう制御することが考えられる。
例えば，前記表示装置Ｘにおいて，前記リモコン及び前記リモコンインターフェース回路９を通じて，前記選択メニューｇ３に対して前記第１の映像画面ｇ１’又は前記第２の映像画面ｇ２のいずれか一方の表示を残す選択がなされた場合に，さらに，選択されなかった側の（他方の）映像画面を録画するか否かの選択メニューを前記モニタ画面２１に表示させ，その選択メニューに対する操作入力に従って，前記制御回路８により，他方の映像画面を録画するよう録画手段（録画回路や外部接続された録画装置）に対して制御指令を出力するか否かを切り替えるよう構成する（録画制御手段の一例）。或いは，前記選択メニューｇ３において，「前記第１の映像画面の表示を残して前記第２の映像画面を録画する」選択肢と，「前記第２の映像画面の表示を残して前記第１の映像画面を録画する」選択肢とを更に追加し，前記選択メニューｇ３から他方の映像画面を録画するか否かを選択可能に構成してもよい。
これにより，その時点で視聴しない側の映像画面を後から再生して視聴できるので好適である。
【産業上の利用可能性】
【００２２】
本発明は，マルチ画面制御機能を備えた表示装置や録画装置，チューナ等に利用可能である。
【図面の簡単な説明】
【００２３】
【図１】本発明の実施形態に係る表示装置Ｘの概略構成を表すブロック図。
【図２】表示装置Ｘのマルチ画面表示を模式的に表した図。
【図３】表示装置Ｘにおけるイベント対応マルチ画面表示処理の手順を表すフローチャート。
【符号の説明】
【００２４】
Ｘ…表示装置
１ａ，１ｂ…チューナ
２…外部入力部
３…映像切替回路
４ａ，４ｂ…映像処理回路
５…画面合成切替回路
６…信号検出回路
７…計時回路
８…制御回路
９…リモコンインターフェース回路
１０…音声切替回路
１１…音声処理回路
２１…モニタ画面
ｇ１…第１の映像画面（元々表示中の映像画面）
ｇ２…第２の映像画面（イベントに対応する映像画面）
ｇ３…選択メニュー
Ｓ１，Ｓ２，，，…ステップ（処理手順）
【図１】
2006086866.tif 000003
【図２】
2006086866.tif 000004
【図３】
2006086866.tif 000005